(57)【特許請求の範囲】
【請求項１】
駆動軸の回転を減速して従動軸に伝達する減速装置において、支持軸を支点にして揺動自在に支持された駆動リンクと、この駆動リンクに連結ピンを介して連結されるとともに、上記従動軸を支点にして揺動自在に支持された従動リンクと、上記駆動軸の回転力を駆動リンクに伝達してこの駆動リンクを揺動変位させるとともに、これに連動させて上記従動リンクを揺動変位させるカム機構と、上記従動リンクの揺動変位時にその一方向のみの駆動力を上記従動軸に伝達する一方向クラッチとを備えた減速装置を利用した紙葉類の計数装置において、ホッパー内に収容された紙葉類を一枚ずつ繰り出して搬送する繰り出し搬送部と、繰り出された紙葉類を計数する計数手段と、計数された紙葉類を収容する複数の保持部を有する羽根車と、この羽根車の保持部に保持された紙葉類が集積される集積部とを備え、上記繰り出し搬送部の駆動軸の回転を上記減速装置により減速して上記羽根車の車軸からなる従動軸に伝達するように構成し、かつ駆動リンクの揺動変位時のその一方向のみの駆動力を上記ストップローラに伝達してこのストップローラを紙葉類の搬送方向と逆方向に回転させる一方向クラッチを設けたことを特徴とする減速装置を利用した紙葉類の計数装置。
【請求項２】
従動軸にフライホイールを設けたことを特徴とする請求項１記載の減速装置を利用した紙葉類の計数装置。
【請求項３】
ホッパー内から複数枚の紙葉類が同時に繰り出されるのを阻止するストップローラを設け、このストップローラの支持軸を支点にして駆動リンクを揺動自在に支持したことを特徴とする請求項３記載の減速装置を利用した紙葉類の計数装置。
【請求項４】
紙葉類のジャム発生時に繰り出し搬送部を逆回転駆動する逆回転駆動部を設けたことを特徴とする請求項１〜３のいずれか１項に記載の減速装置を利用した紙葉類の計数装置。
【発明の詳細な説明】
【０００１】
【発明の属する技術分野】
本発明は、駆動軸の回転を減速して従動軸に伝達する減速装置を利用した紙葉類の計数装置に関するものである。
【０００２】
【従来の技術】
従来、例えば実公平６０−６０３５号公報に示されるように、紙葉類をホッパーから送出ローラにより取り出し、この送出ローラから隔置され複数の羽根を有する羽根車に送り出す紙葉類計数装置において、上記送出ローラおよび羽根車をタイミングベルトを介して接続し、送出ローラの回転停止後、羽根車を慣性により回転させるため羽根車に一方クラッチを設け、上記送出ローラには、その外周の一部に摩擦係数の大きい部分を設け、駆動モータによって駆動される上記送出ローラの回転を減速装置により減速して上記羽根車に伝達し、この羽根車を回転させて相対向する羽根間に挟持された紙葉類を受板上に整然と整列させることが行われている。
【０００３】
【発明が解決しようとする課題】
上記紙葉類計数装置は、送出ローラによって搬送される紙葉を、羽根車に突設された多数の羽根によって形成された複数の保持部に一枚ずつ振り分けるようにするために、駆動モータによって駆動される上記送出ローラの回転を、タイミングベルト等を有する減速装置により減速して上記羽根車に伝達することにより、この羽根車の回転速度と、上記送り出しローラの回転速度とを上記保持部の個数に応じた減速比で同期させるように構成され、この減速比が大きいので上記減速装置の構造が複雑であるという問題がある。
【０００４】
すなわち、上記紙葉類計数装置は、駆動モータによって回転駆動される上記送出ローラの駆動軸の回転を、一対のプーリとタイミングベルトとを有する減速タイミングベルト機構により減速して同期軸に伝達するとともに、この同期軸と羽根車の車軸との間に設けられた減速歯車機構によってさらに減速して上記羽根車の駆動軸に伝達することにより、上記送り出しローラの駆動軸の回転を二段階に減速して羽根車の車軸に伝達するように構成されているため、部品点数が多くなって装置が大型化するとともに、製造コストが高く付くという問題がある。
【０００５】
本発明は、このような事情に鑑み、簡単な構成で駆動軸の回転を適正に減速して従動軸に伝達することができる減速装置を利用した紙葉類の計数装置を提供するものである。
【０００６】
【課題を解決するための手段】
請求項１に係る発明は、駆動軸の回転を減速して従動軸に伝達する減速装置において、支持軸を支点にして揺動自在に支持された駆動リンクと、この駆動リンクに連結ピンを介して連結されるとともに、上記従動軸を支点にして揺動自在に支持された従動リンクと、上記駆動軸の回転力を駆動リンクに伝達してこの駆動リンクを揺動変位させるとともに、これに連動させて上記従動リンクを揺動変位させるカム機構と、上記従動リンクの揺動変位時にその一方向のみの駆動力を上記従動軸に伝達する一方向クラッチとを備えた減速装置を利用した紙葉類の計数装置において、ホッパー内に収容された紙葉類を一枚ずつ繰り出して搬送する繰り出し搬送部と、繰り出された紙葉類を計数する計数手段と、計数された紙葉類を収容する複数の保持部を有する羽根車と、この羽根車の保持部に保持された紙葉類が集積される集積部とを備え、上記繰り出し搬送部の駆動軸の回転を上記減速装置により減速して上記羽根車の車軸からなる従動軸に伝達するように構成し、かつ駆動リンクの揺動変位時のその一方向のみの駆動力を上記ストップローラに伝達してこのストップローラを紙葉類の搬送方向と逆方向に回転させる一方向クラッチを設けたものである。
【０００７】
上記構成によれば、駆動軸が回転すると、この駆動軸の回転力がカム機構を介して駆動リンクに伝達され、この駆動リンクが揺動変位するとともに、この駆動リンクにより従動リンクが駆動されて揺動変位する。そして、上記従動リンクが揺動変位する際に、その駆動力が上記一方向クラッチを介して従動軸に伝達されることにより、この従動軸が一方向のみに回転することになる。また、上記繰り出し搬送部が駆動されてその駆動軸が回転すると、その回転力が従動リンクから一方向クラッチを介してストップローラに伝達され、このストップローラが上記繰り出し搬送部によって搬送される紙葉類を押し戻す方向に低速で回転し、紙葉類の重送が効果的に阻止されることになる。
【０００８】
請求項２に係る発明は、上記請求項１記載の減速装置を利用した紙葉類の計数装置において、従動軸にフライホイールを設けたものである。
【０００９】
上記構成によれば、従動リンクによって回転駆動される従動軸の回転がフライホイールにより円滑化されることになる。
【００１０】
請求項３に係る発明は、請求項１または２記載の減速装置を利用した紙葉類の計数装置において、上記請求項３記載の紙葉類の計数装置において、ホッパー内から複数枚の紙葉類が同時に繰り出されるのを阻止するストップローラを設け、このストップローラのローラ軸を支点にして駆動リンクを揺動自在に支持したものである。
【００１１】
上記構成によれば、繰り出し搬送部によってホッパ内の紙葉類が繰り出される際に、その重送が上記ストップローラによって阻止されるとともに、繰り出し搬送部が駆動されてその駆動軸が回転すると、この駆動軸の回転力がカム機構を介して駆動リンクに伝達され、この駆動リンクが上記ストップローラのローラ軸を支点にして揺動変位することになる。
【００１２】
請求項４に係る発明は、上記請求項１〜３のいずれか１項に記載の紙葉類の計数装置において、紙葉類のジャム発生時に繰り出し搬送部を逆回転駆動する逆回転駆動部を設けたものである。
【００１３】
上記構成によれば、紙葉類のジャム発生時に、逆回転駆動部によって繰り出し搬送部が逆回転駆動されることにより、この繰り出し搬送部の設置部においてジャムした紙葉類がホッパー上に逆送されるとともに、上記羽根車が紙葉類の排出方向に回転駆動されてその保持部に保持された紙葉類が集積部上に排出されて集積されることになる。
【００１４】
【発明の実施の形態】
図１および図２は、本発明に係る減速機を利用した紙葉類の計数装置の実施形態を示している。この紙葉類の計数装置は、紙幣、原稿または商品券等の紙葉類１を収容するホッパー２と、このホッパー２内に収容された紙葉類１を一枚ずつ繰り出して搬送する繰り出し搬送部３と、繰り出された紙葉類１を計数する計数手段４と、計数された紙葉類１を保持する複数の保持部５を有する一対の羽根車６と、この羽根車６の保持部５に保持された紙葉類１が集積される集積部７と、上記繰り出し搬送部３の駆動軸８の回転を減速して上記羽根車６の車軸９からなる従動軸に伝達する減速装置１０とを有している。
【００１５】
上記ホッパー２は、紙葉類１が載置される傾斜状態の底壁部１１と、紙葉類１の側辺部を規制する側部ガイド１２とを有し、上記ホッパー２の前端部には、紙葉類１の前端部を下向きに指向させることにより、最下端部に位置する紙葉類１を他の紙葉類から分離して上記繰り出し搬送部３側に案内するための分離板１３が設けられている。
【００１６】
上記繰り出し搬送部３は、ホッパー２内に収容された紙葉類１を繰り出す左右一対の繰り出しローラ１４と、この両繰り出しローラ１４の内方側に配設されたフィードローラ１５と、上記繰り出しローラ１４に対向する位置に配設された一対の取り込みローラ１６と、上記フィードローラ１５に対向する位置に配設されたストップローラ１７と、このストップローラ１７の下方側においてフィードローラ１５に対向する位置に配設された引張りローラ１８と、上記ホッパー２内から繰り出された紙葉類１を上記羽根車６の設置部に案内するガイド板１９とを有している。
【００１７】
上記繰り出しローラ１４およびフィードローラ１５は、計数装置のハウジング２０に回転自在に支持された駆動軸８にキー結合等の手段で一体に連結されている。また、上記駆動軸８と、ハウジング２０に取り付けられた駆動モータ２２の出力軸との間には、動力伝達用のベルト伝動機構２３が設置されている。そして、上記駆動モータ２２の駆動力が駆動軸８に伝達されてこの駆動軸８が回転駆動されることにより、上記繰り出しローラ１４およびフィードローラ１５が回転してホッパー２内の最下端部に位置する紙葉類１が１枚ずつ繰り出されて搬送されるようになっている。
【００１８】
すなわち、上記繰り出しローラ１４の外周面には、図３に示すように、ゴム材等の摩擦係数の高い素材からなる繰り出し用摩擦材２４が所定範囲に亘って設置され、繰り出しローラ１４の回転に応じて繰り出し用摩擦材２４が取り込みローラ１６の設置部に到達した時点で、この取り込みローラ１６と、上記繰り出し用摩擦材２４とによって紙葉類１が挟持された状態で、ホッパー２内から繰り出されるようになっている。なお、上記取り込みローラ１６は、少なくともその外周部が可撓性を有する軟質素材によって形成され、上記繰り出しローラ１４に当接した部分が弾性変形することにより、上記紙葉類１を効果的に挟持するように構成されている。
【００１９】
また、上記フィードローラ１５の外周面には、図４に示すように、ゴム材等の摩擦係数の高い素材からなる搬送用摩擦材２５が、上記繰り出しローラ１４の繰り出し用摩擦材２４の設置範囲よりも広い範囲に設置されるとともに、上記繰り出しローラ１４により繰り出された紙葉類１が、フィードローラ１５の設置部に到達した時点で、フィードローラ１５の回転に応じて上記搬送用摩擦材２５がストップローラ１７の設置部に到達するように配設されている。そして、上記フィードローラ１５の搬送用摩擦材２５から紙葉類１に付与される搬送力に応じ、この紙葉類１がフィードローラ１５とストップローラ１７との間を通って下方に搬送されるようになっている。
【００２０】
上記ストップローラ１７は、フィードローラ１５によって搬送される紙葉類１を押し戻す方向にのみ回転することを許容する一方向クラッチ４０を介してローラ軸２８に取り付けられ、上記繰り出し搬送部３のカム機構３１により上記駆動リンク２９が駆動されて揺動変位するのに応じて上記紙葉類１を押し戻す方向に低速で回転することにより、上記ホッパー２内から二枚以上の紙葉類１が同時に繰り出された場合に、その重送を阻止するように構成されている。
【００２１】
また、計数手段４は、上記繰り出し搬送部３によって搬送される紙葉類１を検出するフォトセンサ等からなり、この計数手段４によって検出された紙葉類１の枚数が、図外の記憶手段において記憶されるとともに、液晶ディスプレイ等からなる表示手段において表示されるようになっている。
【００２２】
上記羽根車６は、計数装置のハウジング２０に回転自在に支持された車軸９にキー結合等の手段で一体に連結されたボス部２６と、このボス部２６の外周面に突設された複数枚の羽根２７とからなり、相隣接する羽根２７の間に紙葉類１の保持部５が形成されている。そして、上記駆動軸８の回転が減速装置１０によって減速されて上記車軸９に伝達され、この車軸９および上記羽根車６が所定の回転速度で回転駆動されることにより、上記繰り出し搬送部３によって搬送された紙葉類１が、上記保持部５内に順次挿入されて保持された後、上記集積部７上に排出されて集積されるようになっている。
【００２３】
上記減速装置１０は、図５に示すように、ストップローラ１７が設けられたローラ軸２８からなる支持軸を支点にして揺動自在に支持された駆動リンク２９と、上記車軸９からなる従動軸の一端部を支点にして揺動自在に支持された従動リンク３０と、上記繰り出し搬送部３の駆動軸８の回転力を上記駆動リンク２９に伝達してこの駆動リンク２９を揺動変位させるカム機構３１とを有している。
【００２４】
上記従動リンク３０と、車軸９との間には、従動リンク３０の揺動変位時にその一方向のみの駆動力を車軸９に伝達し、上記羽根車６が紙葉類１の排出方向に回転することを許容するとともに、その逆方向に回転するのを阻止する一方向クラッチ３２が設けられている。また、上記駆動リンク２９の先端部には、連結ピン３３が突設されるとともに、上記従動リンク３０の先端部には、その長手方向に伸びる長孔３４が形成され、この長孔３４に上記連結ピン３３が挿入されて両リンク２９，３０が互いに連結されている。そして、上記カム機構３１により駆動リンク２９が駆動されて揺動変位すると、これに連動して従動リンク３０が揺動変位するようになっている。
【００２５】
上記カム機構３１は、駆動リンク２９の側辺部に形成されてその基端部側に伸びる長孔３５と、上記駆動軸８と一体に回転するベルト伝動機構２３の従動プーリ３６の裏面に突設された偏心カム３７とからなり、この偏心カム３７が上記長孔３５に挿入されている。そして、上記プーリ３６および駆動軸８が回転するのに応じ、偏心カム３７が上記長孔３５内において回転することにより、駆動リンク２９が上記ローラ軸２８を支点にして揺動変位するように構成されている。
【００２６】
また、上記減速装置１０の従動リンク３０が取り付けられた車軸９の他端部には、図１に示すように、車軸９の回転を円滑にするためのフライホイール３８が取り付けられている。さらに、上記減速装置１０の偏心カム３７が取り付けられた駆動軸８の他端部には、隙間調整ハンドル３９が取り付けられている。この隙間調整ハンドル３９は、その手動操作に応じて軸部等に設けられたカムを回転させることにより、上記駆動軸８の設置位置を調節して上記フィードローラ１５とストップローラ１７との軸間距離を調整するように構成されている。
【００２７】
上記構成においてホッパー２内に複数枚の紙葉類１を収容した状態で、上記駆動モータ２２を駆動すると、その駆動力が上記ベルト伝動機構２３を介して駆動軸８に伝達され、上記繰り出しローラ１４およびフィードローラ１５が回転駆動されることにより、上記繰り出しローラ１４の繰り出し用摩擦材２４と、取り込みローラ１６とによって紙葉類１が挟持された状態で、ホッパー２内から繰り出される。
【００２８】
そして、繰り出された紙葉類１が上記フィードローラ１５の搬送用摩擦材２５とストップローラ１７との間に供給されるとともに、このストップローラ１７により紙葉類１の重送が防止されつつ下方に搬送され、上記計数手段４の設置部において紙葉類１の枚数がカウントされた後、上記引込みローラ１８およびガイド板１９により案内されて上記羽根車６の保持部５内に順次挿入される。
【００２９】
また、上記駆動モータ２２の駆動力がベルト伝動機構２３に伝達されて上記プーリ３６および駆動軸８が回転するのに応じ、偏心カム３７が上記長孔３５内において回転することにより、駆動リンク２９が上記ローラ軸２８を支点にして揺動変位し、この揺動変位が上記連結ピン３３を介して従動リンク３０に伝達され、この従動リンク３０が上記車軸９を支点にして揺動変位する。そして、上記従動リンク３０が揺動変位するのに応じ、その一方向の駆動力が上記一方向クラッチ３２を介して上記車軸９に伝達され、この車軸９に連結された羽根車６が紙葉類１の排出方向に回転し、上記保持部５に保持された紙葉類１が集積部７上に順次排出されて集積される。
【００３０】
このようにストップローラ１７のローラ軸２８からなる支持軸を支点にして揺動自在に支持された駆動リンク２９と、この駆動リンク２９に連結ピン３３を介して連結されるとともに、上記羽根車６の車軸９からなる従動軸を支点にして揺動自在に支持された従動リンク３０と、上記繰り出し搬送部３の駆動軸８の回転力を上記駆動リンク２９に伝達してこの駆動リンク２９を揺動変位させるとともに、これに連動させて上記従動リンク３０を揺動変位させるカム機構３１と、上記従動リンク３０の揺動変位時にその一方向のみの駆動力を上記車軸９に伝達する一方向クラッチ３２とを設けたため、簡単な構成で上記駆動軸８の回転を効果的に減速して上記車軸９に伝達することができる。
【００３１】
すなわち、上記駆動軸８が一回転してカム機構３１の偏心カム３７が一回転するのに応じ、上記駆動リンク２９および従動リンク３０が一回揺動変位し、これによって上記従動リンク３０の揺動角度に対応した角度だけ上記車軸９が特定の方向に回転することになる。したがって、従来装置のように減速タイミングベルト機構と、減速歯車機構とによって駆動軸の回転を二段階に減速して従動軸に伝達するという複雑な構成を採用することなく、簡単な構成で上記駆動軸８の回転を効果的に減速して上記車軸９に伝達し、この車軸９に取り付けられた羽根車６を適正速度で紙葉類１の排出方向に回転させることができる。
【００３２】
また、カム機構３１によって駆動される駆動リンク２９の揺動範囲を変化させ、あるいは上記駆動リンク２９の長さと従動リンク３０の長さとの比率を変化させて従動リンク３０の揺動範囲を調節することにより、上記駆動軸８から車軸９に伝達される回転の減速比を容易かつ任意に変化させることができる。
【００３３】
また、上記実施形態では、羽根車６の車軸９からなる従動軸にフライホイール３８を設けたため、上記従動リンク３０の揺動変位時に、羽根車６の車軸９が間欠駆動されることに起因して上記羽根車６の回転速度が変化することを効果的に防止し、この羽根車６を円滑に回転させることにより、保持部５に保持された紙葉類１を集積部７上に排出して集積する作業を円滑に行うことができる。
【００３４】
さらに、上記実施形態では、ホッパー２内から複数枚の紙葉類が同時に繰り出されるのを阻止するストップローラ１７を設け、このストップローラ１７のローラ軸２８を支点にして駆動リンク２９を揺動自在に支持し、上記ローラ軸２８に、ストップローラ１７の支持軸としての機能と、駆動リンク２９の支持軸としての機能とを兼ね備えさせるように構成したため、この駆動リンク２９の支持軸を別体に設けた場合に比べて構造を効果的に簡略化できるという利点がある。
【００３５】
また、上記のように駆動リンク２９の揺動変位時にその一方向のみの駆動力を上記ストップローラ１７に伝達してこのストップローラ１７を紙葉類の搬送方向と逆方向に回転させる一方向クラッチ４０を設けることにより、上記ホッパー２内から複数枚の紙葉類１が繰り出された場合に、上方に位置する紙葉類１を上記ストップローラ１７によって押し戻す方向にこのストップローラ１７を低速で回転駆動するように構成したため、このストップローラ１７によって上記紙葉類１が重送されるのを効果的に防止することができる。しかも、上記繰り出し搬送部３の駆動力を利用して上記ストップローラ１７を回転駆動することができるため、別体の回転駆動部を設けた場合に比べて駆動機構の構造を効果的に簡略化することができる。
【００３６】
なお、上記構成に代えて一対のプーリおよびＶベルトを有するベルト伝動機構等からなる動力伝達部によって上記駆動軸８の駆動力をストップローラ１７に伝達することにより、このストップローラ１７を、上記フィードローラ１５によって搬送される紙葉類１を押し戻す方向に回転駆動するように構成してもよい。
【００３７】
また、上記駆動モータ２２として正逆回転可能なモータを使用するとともに、スイッチ操作に応じて上記駆動モータ２２を逆回転させるように制御する制御手段からなる逆回転駆動部を設け、この逆回転駆動部によって繰り出し搬送部３の駆動軸８を逆回転させるように構成してもよい。このように構成した場合には、紙葉類１のジャム発生時に、上記駆動軸８を紙葉類１の搬送方向と逆方向に回転駆動することにより、上記繰り出し搬送部３の設置部においてジャム状態となった紙葉類１をホッパー２側に移動させてジャムを容易に解消することができる。
【００３８】
しかも、上記逆回転駆動部によって上記駆動軸８を紙葉類１の搬送方向と逆方向に回転駆動した場合においても、上記一方向クラッチ３２の動力伝達作用により、羽根車６の車軸９からなる従動軸を紙葉類１の排出方向に回転させて羽根車６の各保持部５に保持された紙葉類１を集積部７上に排出させることができる。したがって、上記羽根車６の各保持部５に保持された紙葉類１が繰り出し搬送部３側に逆送されてジャム状態となることを効果的に防止することができる。なお、上記駆動モータ２２を逆回転させる上記構成に代え、駆動軸８を手動操作によって逆回転させるように構成してもよい。
【００３９】
また、上記実施形態では、駆動モータ２２によって回転駆動される駆動軸８上に、繰り出しローラ１４と、フィードローラ１５とを設け、この繰り出しローラ１４の繰り出し用摩擦材２４を紙葉類１の下面に当接させることにより、ホッパー２内から紙葉類１を繰り出すとともに、繰り出された紙葉類１の下面に、上記フィードローラ１５の搬送用摩擦材２５を当接させることにより、上記紙葉類１を搬送するように構成したため、上記繰り出しローラ１４およびフィードローラ１５の駆動軸を別体に設けた場合に比べ、駆動部の構造を簡略化することができるとともに、両ローラ１４，１５の設置スペースを削減して計数装置をコンパクト化することができる。
【００４０】
さらに上記実施形態では、上記繰り出しローラ１４に対向する位置に配設された取り込みローラ１６の少なくとも外周部を可撓性を有する素材によって形成したため、上記取り込みローラ１６の外周部を繰り出しローラ１４に圧接させて、これに対応した形状に弾性変形させることにより、上記繰り出しローラ１４と取り込みローラ１６とによって紙葉類１を挟持した状態で適正に搬送できるという利点がある。しかも、上記取り込みローラ１６を繰り出しローラ１４と連動させて回転させることにより、この繰り出しローラ１４に対する取り込みローラ１６の当接位置を常に変化させることができるので、この取り込みローラ１６が偏摩耗することを効果的に防止することができる。
【００４１】
【発明の効果】
以上説明したように、請求項１に係る発明は、駆動軸の回転を減速して従動軸に伝達する減速装置において、支持軸を支点にして揺動自在に支持された駆動リンクと、この駆動リンクに連結ピンを介して連結されるとともに、上記従動軸を支点にして揺動自在に支持された従動リンクと、上記駆動軸の回転力を駆動リンクに伝達してこの駆動リンクを揺動変位させるとともに、これに連動させて上記従動リンクを揺動変位させるカム機構と、上記従動リンクの揺動変位時にその一方向のみの駆動力を上記従動軸に伝達する一方向クラッチとを備えた減速装置を利用した紙葉類の計数装置において、ホッパー内に収容された紙葉類を一枚ずつ繰り出して搬送する繰り出し搬送部と、繰り出された紙葉類を計数する計数手段と、計数された紙葉類を収容する複数の保持部を有する羽根車と、この羽根車の保持部に保持された紙葉類が集積される集積部とを備え、上記繰り出し搬送部の駆動軸の回転を上記減速装置により減速して上記羽根車の車軸からなる従動軸に伝達するように構成し、かつ駆動リンクの揺動変位時のその一方向のみの駆動力を上記ストップローラに伝達してこのストップローラを紙葉類の搬送方向と逆方向に回転させる一方向クラッチを設けたため、簡単な構成で上記駆動軸の回転を所定の減速比で減速して従動軸に伝達してこの従動軸を適正に回転駆動することができる。そして、従来装置のように減速タイミングベルト機構と、減速歯車機構とによって駆動軸の回転を二段階に減速して従動軸に伝達するという複雑な構成を採用することなく、簡単な構成で上記駆動軸の回転を効果的に減速して上記車軸に伝達し、この車軸に取り付けられた羽根車を適正速度で紙葉類の排出方向に回転させることができる。また、上記ストップローラによって上記紙葉類が重送されるのを効果的に防止できるとともに、上記繰り出し搬送部の駆動力を利用して上記ストップローラを回転駆動することができ、別体の回転駆動部を設けた場合に比べて駆動機構の構造を効果的に簡略化できるという利点がある。
【図面の簡単な説明】
【図１】  本発明に係る紙葉類の計数装置の実施形態を示す側面断面図である。
【図２】  上記計数装置の要部の構成を示す正面断面図である。
【図３】  繰り出しローラの構成を示す断面図である。
【図４】  フィードローラの構成を示す断面図である。
【図５】  減速装置の実施形態を示す説明図である。
【符号の説明】
１  紙葉類
２  ホッパー
３  繰り出し搬送部
４  計数手段
５  保持部
６  羽根車
７  集積部
８  駆動軸
９  車軸（従動軸）
１０  減速装置
１７  ストップローラ
２８  ローラ軸（支持軸）
２９ 駆動リンク
３０ 従動リンク
【図１】
0003905592.tif 000002
【図２】
0003905592.tif 000003
【図３】
0003905592.tif 000004
【図４】
0003905592.tif 000005
【図５】
0003905592.tif 000006